(57)【要約】
【課題】　電極間が離れ過ぎることを解消し、身体に装着したときの皮膚との密着性を良好にしてガルバニック作用を十分に発揮させ、電極金属を最適に選択してガルバニック作用を十分に発揮した健康バンドを提供する。
【解決手段】　手首の周囲に巻回して端部７を互いに重ね合わせできる長さを有する幅２８〜３２ｍｍのゴム伸縮する平帯地バンド２からなり、平帯地バンド２の内面３に幅方向で０．８〜１．２ｍｍ離間してイオン効果に差のある大きさが幅５〜７ｍｍで長さ２０〜２４ｍｍの厚さ１．２〜１．７ｍｍの２種の異種金属プレート４からなるＭｇ：４．９〜６．０％を含有するＡｌ合金１０からなる陽極５および金メッキ１１を施したしたリン銅板１２からなる陰極６を平行配置し、重ね合わせ部７の平帯地バンド２の互いの当接面を平面ファスナー９からなるものとする健康用リストバンド１。
【選択図】　　　　図１
0003099410.tif 000002
【実用新案登録請求の範囲】
【請求項１】
　手首の周囲に巻回して端部７を互いに重ね合わせできる長さを有する幅２８〜３２ｍｍのゴム伸縮の平帯地バンド２からなり、平帯地バンド２の内面３に幅方向で０．８〜１．２ｍｍ離間してイオン効果に差のある大きさが幅５〜７ｍｍで長さ２０〜２４ｍｍの厚さ１．２〜１．７ｍｍの２種の異種金属プレート４からなる陽極５および陰極６を平行配置して有し、重ね合わせ部７の平帯地バンド２の互いの当接面を平面ファスナー９からなるものとすることを特徴とする異種金属プレート４を並列配置した健康用リストバンド１。
【請求項２】
　２種の異種金属プレート４は、一方の陽極５となる金属プレートは、質量％で、Ｍｇ：４．９〜６．０％を含有するＡｌ合金１０からなり、他方の陰極６となる金属プレートは金メッキ１１を施したしたリン銅板１２からなることを特徴とする請求項１に記載の異種金属プレート４を並列配置した健康用リストバンド１。
【請求項３】
　異種金属プレート４のうち陽極５となる金属プレートの表面はブラスティング加工あるいはローレット加工により粗面１３となっていることを特徴とする請求項１または２に記載の異種金属プレート４を並列配置した健康用リストバンド１。
【考案の詳細な説明】
【技術分野】
【０００１】
　本考案は、異種金属プレートを離間配置してなるイオン化傾向を利用した電池作用による健康増進用に身体、特に腕に装着するリストバンドに関するものである。
【背景技術】
【０００２】
　本考案は、健康維持のために身体、特に腕に装着して使用する健康増進用のリストバンドである。この本考案のリストバンドはイオン化傾向の相違する２種の金属プレートを適宜間隔を離して身体、特に腕の皮膚に接触させることで、それらの２種の金属は装着者の身体を電解質としてガルバニック作用により電流が流れることとなる。すなわち、イオン化傾向の大きい金属を陽極とし、一方、イオン化傾向の小さい金属を陰極として電池作用が生じ、陽極から陰極へ身体を通じて電気が流れる。このように身体に電気が流れると身体の生理作用を掌る生体電気に作用することとなり、生体電気を活性化する。このことで身体の健康を維持することが知られている。そして、これらを実際に使用する形態としたものが種々知られ、ブレスレットやアンクルレットの形状にしたもの、靴の中敷きにしたもの、あるいはシャツやブリーフなどの下着にしたものなどが知られている（例えば、特許文献１〜５参照）。
【０００３】
　ところで、上記の従来のものは、それぞれ開発者が適宜と思われる位置にガルバニック作用をする２種の金属を装着しているが、いずれも２種の金属の位置が身体に付着させたときに離間し過ぎており、必ずしもガルバニック作用が十分に発揮されないものもあった。さらに、身体に装着するとき、必ずしも十分にこれらの金属と身体の皮膚面との間が密着せず、両者間に抵抗を生じて不導体となり、電子が十分に２種の金属間に流れることは無かった。
【０００４】
【特許文献１】登録実用新案第３０２８７３８号公報
【特許文献２】特開平１１−５７０２４号公報
【特許文献３】特開２０００−２６２６３８号公報
【特許文献４】登録実用新案第３０６４２９７号公報
【特許文献５】特開平１１−３１９１１８号公報
【考案の開示】
【考案が解決しようとする課題】
【０００５】
　解決しようとする問題点は、上記のように２種の電極間が離れ過ぎることによる問題点を解消し、さらに身体に装着したときに皮膚との密着性を良好にしてガルバニック作用が十分に発揮できるものとすることである。さらに、異種金属を選択して最適のガルバニック作用を発揮できるものとすることである。
【課題を解決するための手段】
【０００６】
　本考案は、上記の課題を解決するために、請求項１の考案では、手首の周囲に巻回して端部７を互いに重ね合わせできる長さを有する幅２８〜３２ｍｍのゴム伸縮の平帯地バンド２からなり、平帯地バンド２の内面３に幅方向で０．８〜１．２ｍｍ離間してイオン効果に差のある大きさが幅５〜７ｍｍで長さ２０〜２４ｍｍの厚さ１．２〜１．７ｍｍの２種の異種金属プレート４からなる陽極５および陰極６を平行配置して有し、重ね合わせ部７の平帯地バンド２の互いの当接面を平面ファスナー９からなるものとすることを特徴とする異種金属プレート４を並列配置した健康用リストバンド１である。
【０００７】
　請求項２の考案では、２種の異種金属プレート４は、一方の陽極５となる金属プレートは、質量％で、Ｍｇ：４．９〜６．０％を含有するＡｌ合金１０からなり、他方の陰極６となる金属プレートは、例えば１μｍ前後の厚さの、金メッキ１１を施したしたリン銅板１２からなることを特徴とする請求項１の手段の異種金属プレート４を並列配置した健康用リストバンド１である。
【０００８】
　請求項３の考案では、異種金属プレート４のうち陽極５となる金属プレートの表面はブラスティング加工あるいはローレット加工により粗面１３となっていることを特徴とする請求項１または２の手段の異種金属プレート４を並列配置した健康用リストバンド１である。
【考案の効果】
【０００９】
　本考案は、以上の本発明の構成とすることで、ガルバニック作用をする陽極と陰極間の離間している幅が１ｍｍ前後と近接しているので、身体に装着したとき身体の中でのガルバニック作用が本来の大きさを十分に発揮でき、従来の電極間が大きく離間しているもののように身体の抵抗によりガルバニック作用が阻害されることない。従って、身体の生理面に作用する効果は極めて高く、健康を維持する作用が大きい。さらに陽極の金属をＡｌにＭｇを含有するＡｌ合金とし、さらに身体と密接する表面積を高めるために陽極表面や陰極表面を粗面化し、一方、陰極を金メッキしたリン銅合金とすることで、ガルバニック作用を最も発揮できるものとして効率を高めている。
【考案を実施するための最良の形態】
【００１０】
　長さ２２０ｍｍで幅３０ｍｍの平帯地バンド２を準備する。平帯地バンド２はループ編地からなり帯地内にゴム糸を内在せしめ長さ方向に伸縮可能とする。このように伸縮可能とすることで、腕の太さに関係なく普遍的に老若男女の人々に装着可能としている。平帯地バンド２の端部には、長さ４０ｍｍにわたって平面ファスナー９を縫い付ける。すなわち、平帯地バンド２のの内面３の一端には係合突起を有する雄ファスナー９ａを、他方の一端の外面１４には係合ループを有する雌ファスナー９ｂをそれぞれ縫着している。図２にその内面３を示す。外面１４の一端の雌ファスナー９ｂの裏面である内面３の一端には、陽極５のＡｌ−Ｍｇ合金プレートと陰極６のリン銅合金プレートが平帯地バンド２の長手方向にそれぞれの長手方向を並列して、互いに１ｍｍの間隔を空けて接着剤により接着されている。リン銅合金プレートとすることで、陰極６の作用を劣化することなく陰極６の硬さおよび弾性を身体に装着したときに最も感触よく感じられるものとすることができ、さらに長寿命化を図ることができる。
【００１１】
　この陽極５および陰極６の大きさおよび形状は同一とし、図１に示す（ａ）の平面図、（ｂ）の長手方向の側面図、（ｃ）の短手方向の側面図に示すように、それぞれは長さ２２ｍｍで幅６．５ｍｍで厚さはそれぞれ１．５ｍｍからなるものとする。それぞれの角部は面取りが行われており、装着する手首の肌に優しく当たって疵をつけることのないように形成されている。例えば図１の（ａ）の平面図における各四隅はアール１．５ｍｍの面取りに形成して丸みをつけ、（ｂ）または（ｃ）で示す各稜の面取りはアール０．５ｍｍの面取りに形成して丸みをつけている。
【００１２】
　さらに、他の実施の形態では、陰極６のリン銅合金プレートの表面には導電性を良好とするために、例えば厚さ１μｍ程度の金メッキを施すものとする。
【００１３】
　さらに、他の実施の形態では、陽極５および陰極６の表面は肌を接触する面積を増大させるためにそのプレートの全面にルーレット仕上げやショットブラスト仕上げで粗面化し、粗面１３としており、図３に粗面１３が梨地となっている例を示す。
【００１４】
　本考案は、ブレスレットとしているが、もちろんこれらはアンクレットとすることもでき、さらに貼り薬的に適宜場所に貼り付ける大きさに平帯地バンド２を構成することもできる。
【図面の簡単な説明】
【００１５】
【図１】異種金属プレートの形状を示す図で、（ａ）は平面図、（ｂ）はその長手側から見た側面図、（ｃ）はその短手側から見た側面図である。
【図２】健康リストバンドの内面から見た平面図である。
【図３】陽極の表面の粗面化状態を示す図である。
【符号の説明】
【００１６】
　１　健康リストバンド
　２　平帯地バンド
　３　内面
　４　異種金属プレート
　５　陽極
　６　陰極
　７　端部
　８　重ね合わせ部
　９　平面ファスナー
　１０　Ａｌ合金
　１１　金メッキ
　１２　リン銅板
　１３　粗面
　１４　外面
【図１】
0003099410.tif 000003
【図２】
0003099410.tif 000004
【図３】
0003099410.tif 000005